(57)【特許請求の範囲】
【請求項１】
プ−ル（１）内に敷設した育苗床材に種子を播種し、その播種後３〜４日経過するまで、透光性がある浮き上がり抑止板（１１）を前記種子の上方に浮き上がり防止具（１３）により上方に押し上げられないようにプ−ル（１）に装着し、その後、前記浮き上がり抑止板（１１）をプ−ル（１）から取り外してマット状の苗を育苗する育苗方法。
【発明の詳細な説明】
【０００１】
【発明の属する技術分野】
この発明は、マット苗における育苗方法の技術分野に属する。
【０００２】
【従来の技術及びこの発明が解決しようとする課題】
従来、特開平８−８４５１６号公にあるように、プ−ル内の育苗床材に種子を播種してマット苗を育苗する育苗方法が開示されている。この育苗方法において、種子からの根が育苗床材中に伸長しにくいことがあり、これにより種子から伸長する根が育苗床材中に入り込まないためマット苗の苗床部の強度が得られず、育苗されたマット苗を圃場に移植するとき、苗移植機による苗の送りや一株毎の苗の掻き取り等においてマット苗が伸縮したりちぎれたりするようなことがあり、圃場への苗の移植が不確実になる。
【０００３】
【課題を解決するための手段】
この発明は、上記課題を解決すべく次の技術的手段を講じた。
すなわち、プ−ル１内に敷設した育苗床材に種子を播種し、その播種後３〜４日経過するまで、透光性がある浮き上がり抑止板１１を前記種子の上方に浮き上がり防止具１３により上方に押し上げられないようにプ−ル１に装着し、その後、前記浮き上がり抑止板１１をプ−ル１から取り外してマット状の苗を育苗する育苗方法とした。
【０００４】
【作用】
本発明の育苗方法により、プ−ル内に育苗床材を充填し、該育苗床材に種子を播種し、前記プ−ル内で養液又は水を循環して育苗する。すると、前記種子が発芽すると共に発根するが、種子の根の伸長により該種子が育苗床材から上方に浮き上がるように作用する。ところが、播種後３〜４日経過するまで、浮き上がり防止具により上方に押し上げられないように装着された浮き上がり抑止板が種子の芽に当接することにより前記種子を上方から押さえるように作用するので、種子の根の伸長により該種子が育苗床材から上方に浮き上がるのを抑止する。さらに、根が育苗床材中に伸長して絡み合いマットの形成を促進する。また、前記浮き上がり抑止板には透光性があるので、上方から苗に光りを供給することができ、苗の伸長を良好にすることができると共に、冬期等において苗の保温効果を向上させることができるので、苗床部の頑丈なマット苗が得られる。
【０００５】
【発明の効果】
本発明の育苗方法によると、播種後３〜４日経過するまで、上方から苗に光を供給することができて苗の伸長を良好にすることができると共に、冬期等において苗の保温効果を向上させることができる。また、根が育苗床材中に伸長し絡み合って苗床部が頑丈になるので、育苗された苗を圃場に移植するとき、苗移植機による苗の送りや一株毎の苗の掻き取り等においてマット苗が伸縮したりちぎれたりするようなことが防止され、前記苗移植機により確実に圃場に苗を移植することができる。
【０００６】
【実施例】
この発明の一実施例を図面に基づき説明する。
図１，２は、養液又は水が循環可能なプ−ル１内に育苗床材として縦６ｍ、横３０ｃｍの不織布ａを敷設し水稲苗を育苗する状態を示したものである。前記プ−ル１は、縦６ｍ、横３０ｃｍの長いマット苗を育苗できるように縦方向に長い形状となっており、この縦方向に若干の傾斜を有しこの上位側から下位側へ養液又は水が流れるようになっている。前記上位側に給液口２が設けられ、主タンク３内の養液又は水を供給ポンプ４により前記給液口２からプ−ル内に供給するようになっている。前記下位側には排液口５が設けられ、この排液口５から養液又は水を回収できるようになっている。前記排液口５の下方には排液回収タンク６が設けられこの排液回収タンク内の養液又は水をリタ−ンポンプ７によりリタ−ン送液管８を介して主タンク３に戻すことにより、養液又は水が循環可能な構成となっている。尚、前記プ−ル内には堰９が設けられて、養液又は水が循環していてもプ−ル内が所定の液面に維持されるようになっている。
【０００７】
また、図３，４に示すように、プ−ル１の側壁部１０，１０の上面に、種籾の複数の浮き上がり抑止板１１…を載置できる構成となっている。前記浮き上がり抑止板１１は、プ−ル１の側壁部１０，１０の形状に合致するように折れ曲がった形状となっており、前記側壁部１０，１０の上面と合致する部分に幅広部１２ａを備える縦長の長孔１２，１２，１２，１２が４隅に設けられている。一方、プ−ル１の側壁部１０，１０の上面の適宜の位置には浮き上がり防止具１３…が備えられている。よって、複数の浮き上がり抑止板１１…を縦方向に並列してプ−ル１に載置して、前記浮き上がり防止具１３…を浮き上がり抑止板１１…の縦長の長孔１２…の幅広部１２ａ…から該長孔１２…にはめこみ、前記浮き上がり防止具１３…により浮き上がり抑止板１１…が芽の伸長により上方に押し上げられないように構成している。
【０００８】
従って、プ−ル内に育苗床材である不織布ａを敷設しこの不織布ａに種籾を播種することにより、該種籾がプ−ル内の養液又は水を吸収して発芽、発根する。すなわち、芽は上方に向かって伸長し、根は下方に向かって前記不織布ａに絡み合うように伸長する。根の伸長により不織布ａから種籾が浮き上がらずに根が不織布ａに充分絡み合うように、プ−ル１に浮き上がり抑止板１１…を播種後３〜４日経過するまで装着する。その後、前記浮き上がり抑止板１１…を取り外し、プ−ル内に養液又は水を循環させ育苗する。そして、育苗が完了すると、養液又は水をプ−ル内から排出し１〜２日間育苗されたマット苗の水切りを行う。播種してから水切りが完了するまで１２〜１４日経過する。尚、この長いマット苗は、該マット苗の長手方向に苗床部が外側になるように巻取軸周りに巻き取られてロ−ル苗となり、このロ−ル苗が田植機に装填され該田植機により繰り出されて一株づつ圃場に移植される。
【０００９】
また、図３に示すように、前記浮き上がり抑止板１１…と育苗床材（種籾）との間には隙間が設けられており、種籾への酸素供給が不足しないように構成している。尚、浮き上がり抑止板１１…は、冬期等において苗を保温する効果も兼ね備えている。
尚、前記浮き上がり抑止板１１…をアクリル板等のような透光性のあるものとすると、上方から苗に光を供給することができ、苗の伸長を良好にすることができる。また、前記浮き上がり抑止板１１…を透光性のあるものとすることによって、冬期等において苗の保温効果を向上させることができる。
【００１０】
また、上述の実施例は、育苗床材として不織布ａを使用したものであるが、育苗床材として発泡性のウレタンマットｃを使用してもよい。図６に示すように、このウレタンマットｃは所定の空気層を有するため、該マット中への根の伸長がスム−ズに行われて種籾がウレタンマットｃから上方に浮き上がることを抑制し、伸長した根が該マットの下部で絡み合って苗床部の頑丈なマット苗が得られる。また、このウレタンマットｃは肥料等で溶解することがないため、育苗中に肥料等を供給しても苗床部の強度への影響が少ない。
【００１１】
また、このウレタンマットｃの厚みを種籾の大きさと略同一の約３ｍｍとすることによって、種籾が前記浮き上がり抑止板１１…により押さえられてウレタンマットｃの上面より下方にウレタンマット中に沈み込むことを防止すると共に、根がウレタンマットｃの下部でしっかりと絡み合うようになる。
尚、上述の実施例は不織布等の育苗床材上に種籾を播種し育苗するものであるが、播種された育苗床材上に覆土を行い育苗するものであってもよい。
【００１２】
ところで、このマット苗がロ−ル状に巻取軸周りに巻き取られてできたロ−ル苗は図７に示すような乗用型の田植機２０において圃場に移植される。この乗用型の田植機２０は、走行車体２１と６条植えの苗植付部２２とから構成される。
走行車体２１には左右一対の前輪２３，２３及び後輪２４，２４が装着され、これらの前後輪２３，２３，２４，２４を駆動することにより前記走行車体２１が走行する。走行車体２１の略中央に操縦席２５が備えられ、該操縦席２５の前側にステアリングハンドル２６が設けられている。この走行車体２１の後部にリンク機構２７を介して前記苗植付部２２が装着され、この苗植付部２２は油圧昇降シリンダ２８の伸縮により上下に昇降するように設けられている。また、該苗植付部２２は、走行車体側から動力が伝達されて作動する構成である。
【００１３】
苗植付部２２は、主としてロ−ル苗巻取軸ｓに巻きつけられたロ−ル苗を装填可能にした各条毎のロ−ル苗供給部２９…と苗載置台３０と植付伝動部３１及び各条毎の苗植付装置３２…とからなり、走行車体側からの動力により植付入力ケ−ス３３、前記植付伝動部３１を介して各条の苗植付装置３２…を作動する構成である。前記ロ−ル苗供給部２９…のロ−ル苗は、植付伝動部３１からの伝動により作動する苗載置台３０の苗送りベルト３４…の駆動によりマット苗となって繰り出されていく構成となっている。前記苗植付装置３２…は、植付伝動部３１からの動力により駆動されマット苗を一株づつ掻き取って圃場に植え付けていく構成となっている。前記苗植付装置３２…の作動に伴って、植付伝動部３１からの動力により苗載置台３０が苗載置台左右移動ガイド板３５に沿って左右移動されて、前記ガイド板３５に備えた苗掻き取り口３５ａ…に苗を一株分づつ左右方向に送って該苗掻き取り口３５ａ…からマット苗を苗植付装置３２…の植付爪３２ａ…により一株づつ掻き取る構成となっている。尚、前記苗載置台３０は、苗載置台３０の左右移動終端において前記苗送りベルト３４…によりマット状の苗を苗載置台３０に沿って苗植付装置側に順次移送する構成となっている。
【００１４】
前記苗載置台３０の左右移動と共に苗載置台上のマット苗が前記苗載置台左右移動ガイド板３５に対して左右移動するが、この左右移動によって前記苗載置台左右移動ガイド板３５に対してマット苗がしゅう動しこのしゅう動抵抗によってマット苗の苗床部の強度が不足しているとマット苗が左右方向に縮むことがある。上述の育苗方法により、苗床部の強度のあるマット苗が得られるため、このマット苗を使用することによりマット苗が左右方向に縮むのを抑制することができる。
【００１５】
また、マット苗の苗床部の強度が不足していると苗植付装置３２…の苗の掻き取りが適正に行われなかったり該掻き取りにより苗載置台上のマット苗が伸びたりちぎれたりすることがあるが、上述の育苗方法により、苗床部の強度のあるマット苗が得られるため、この問題を解決することができる。
尚、この実施例は６条植えの苗移植機に関するものであるが、本発明は６条植えのものに限定するものではない。また、この実施例は、乗用型の田植機について説明したが、歩行型の田植機等においても利用できるものである。
【００１６】
以上により、マット苗の根が育苗床材中に伸長し絡み合って苗床部が頑丈になるので、該マット苗を圃場に移植するとき、田植機等の苗移植機によるマット苗の左右移動や苗植付装置による一株毎の苗の掻き取り等においてマット苗が伸縮したりちぎれたりするようなことが防止され、確実に圃場に苗を移植することができる。
【図面の簡単な説明】
【図１】プ−ルを示す平面図
【図２】プ−ルを示す側面断面図
【図３】プ−ルを示す正面断面図
【図４】プ−ルの一部を示す平面図
【図５】育苗床材に不織布を使用して水稲用の苗を育苗した状態を示す図
【図６】育苗床材に発泡性のウレタンマットを使用して水稲用の苗を育苗した状態を示す図
【図７】乗用型の田植機の側面図
【図８】図７中のＡ視における苗載置台の一部を示す図
【符号の説明】
１…プ−ル、１１…浮き上がり抑止板、１３…浮き上がり抑止具、ａ…不織布、ｃ…ウレタンマット、
【図１】
0003651724.tif 000002
【図２】
0003651724.tif 000003
【図３】
0003651724.tif 000004
【図４】
0003651724.tif 000005
【図５】
0003651724.tif 000006
【図６】
0003651724.tif 000007
【図７】
0003651724.tif 000008
【図８】
0003651724.tif 000009